(57)【要約】  無線受信装置と通信する無線送信装置であって、多重する複数のコードチャネルのうち少なくとも１つのコードチャネルの受信品質が他のコードチャネルの受信品質と異なるように設定する受信品質設定部と、前記受信品質設定部が受信品質を設定し複数のコードチャネルが多重された信号を前記無線受信装置に送信する送信部とを備える。
2009038018.tif 000002
【特許請求の範囲】
【請求項１】
無線受信装置と通信する無線送信装置であって、
多重する複数のコードチャネルのうち少なくとも１つのコードチャネルの受信品質が他のコードチャネルの受信品質と異なるように設定する受信品質設定部と、
前記受信品質設定部が受信品質を設定し複数のコードチャネルが多重された信号を前記無線受信装置に送信する送信部と、
を備えることを特徴とする無線送信装置。
【請求項２】
前記受信品質設定部は、前記多重する複数のコードチャネルの受信品質の平均が、前記多重する複数のコードチャネル間で同じになるように設定することを特徴とする請求項１に記載の無線送信装置。
【請求項３】
前記受信品質設定部は、複数のコードチャネルをグループ化し、多重する複数のグループ化されたコードチャネルのうち少なくとも１つのグループ化されたコードチャネルの受信品質が他のグループのコードチャネルの受信品質と異なるように設定することを特徴とする請求項１に記載の無線送信装置。
【請求項４】
前記受信品質設定部は、前記多重する複数のグループ化されたコードチャネルの受信品質の平均が、前記多重する複数のグループ化されたコードチャネル間で同じになるように設定することを特徴とする請求項３に記載の無線送信装置。
【請求項５】
前記受信品質設定部は、前記各コードチャネルに設定する受信品質が、最低受信品質よりも大きくなるように設定することを特徴とする請求項１に記載の無線送信装置。
【請求項６】
前記受信品質設定部は、コードチャネルの多重数に基づいて、前記最低受信品質を決定することを特徴とする請求項１に記載の無線送信装置。
【請求項７】
前記受信品質設定部は、前記受信品質として、変調方式又は符号化率を用いることを特徴とする請求項１に記載の無線送信装置。
【請求項８】
前記受信品質設定部は、前記受信品質として、送信電力を用いることを特徴とする請求項１に記載の無線送信装置。
【請求項９】
前記受信品質設定部は、前記無線受信装置から通知される受信品質情報に基づいて、コードチャネルの受信品質を設定することを特徴とする請求項１に記載の無線送信装置。
【請求項１０】
無線送信装置と無線受信装置とを備える無線通信システムであって、
前記無線送信装置は、
多重する複数のコードチャネルのうち少なくとも１つのコードチャネルの受信品質が他のコードチャネルの受信品質と異なるように設定する受信品質設定部と、
前記受信品質設定部が受信品質を設定し複数のコードチャネルが多重された信号を前記無線受信装置に送信する送信部とを備え、
前記無線受信装置は、
前記送信部が送信した複数のコードチャネルが多重された信号を受信する受信部と、
前記複数のコードチャネルが多重された信号から受信品質の良いコードチャネルを受信品質の悪いコードチャネルよりも先に検出するコードチャネル検出部とを備えることを特徴とする無線通信システム。
【請求項１１】
無線受信装置と通信する無線送信装置を用いた無線送信方法であって、
前記無線送信装置は、
多重する複数のコードチャネルのうち少なくとも１つのコードチャネルの受信品質が他のコードチャネルの受信品質と異なるように設定する受信品質設定過程と、
前記受信品質設定過程で受信品質を設定し複数のコードチャネルが多重された信号を前記無線受信装置に送信する送信過程と、
を実行することを特徴とする無線送信方法。
【発明の詳細な説明】
【技術分野】
【０００１】
本発明は、無線送信装置、無線通信システム及び無線送信方法に関する。
本願は、２００７年９月２１日に、日本に出願された特願２００７−２４５６５１号に基づき優先権を主張し、その内容をここに援用する。
【背景技術】
【０００２】
無線インタフェースの基本技術として用いられるＭＣ−ＣＤＭＡ（Ｍｕｌｔｉ−Ｃａｒｒｉｅｒ  Ｃｏｄｅ  Ｄｉｖｉｓｉｏｎ  Ｍｕｌｔｉｐｌｅ  Ａｃｃｅｓｓ：マルチキャリア符号分割多元接続）方式、ＯＦＣＤＭ（Ｏｒｔｈｏｇｏｎａｌ  Ｆｒｅｑｕｅｎｃｙ  ａｎｄ  Ｃｏｄｅ  Ｄｉｖｉｓｉｏｎ  Ｍｕｌｔｉｐｌｅｘｉｎｇ：直交周波数・符号分割多重）方式の送信側では、情報シンボルを拡散率分の連続するサブキャリアに繰り返し（コピーし）、繰り返したサブキャリアに亘って拡散コードを乗算する（以下、これを周波数軸拡散と呼ぶ）。【０００３】
サブキャリアのシンボルは、分離可能な拡散コードで周波数軸拡散されているため、コード多重を行うことが可能となる。受信側では、所望の情報シンボルが拡散されている拡散コードを用いて逆拡散することにより、所望の情報シンボルを抽出し、各サブキャリアで伝送された情報を復元することで復調処理が行われる。【０００４】
以上のように動作するＭＣ−ＣＤＭＡ方式、ＯＦＣＤＭ方式については、例えば、非特許文献１に記載されている。ＭＣ−ＣＤＭＡ方式、ＯＦＣＤＭ方式の受信側において、コード多重された信号から精度よく情報シンボルを得るためには、拡散コード系列間の直交性が良好に維持されていることが必要である。しかしながら、移動体通信環境では、周波数選択性フェージングにより、情報シンボルを表す信号の振幅、位相が変動し、符号間の直交性が崩れることがある。【０００５】
図１３は、送信機から受信機に送信された信号がフェージングを受けていない場合の逆拡散処理の結果の一例を示す図である。図１３のグラフにおいて、横軸は周波数ｆを示しており、縦軸は受信電力ｐを示している。
図１３に示すように、各サブキャリアに亘ってチャネルＣＨ１にはＣ８．１の拡散コード（１，１，１，１，１，１，１，１）が各々乗算され、チャネルＣＨ２にはＣ８．２の拡散コード（１，１，１，１，−１，−１，−１，−１）が各々乗算される。そして、チャネルＣＨ１、チャネルＣＨ２がコード多重された信号がフェージングを受けていない伝搬路を通り、受信側において受信される。図１３では、この多重された信号について、チャネルＣＨ１に乗算されているＣ８．１の拡散コード（１，１，１，１，１，１，１，１）で逆拡散処理を行った場合を示している。
逆拡散処理の結果、Ｃ８．１の拡散コード（１，１，１，１，１，１，１，１）が乗算されているチャネルＣＨ１の成分は８となり、Ｃ８．２の拡散コード（１，１，１，１，−１，−１，−１，−１）が乗算されているチャネルＣＨ２の成分は０となり、かくしてチャネルＣＨ１の信号を抽出することができる。すなわち、チャネルＣＨ２は、チャネルＣＨ１に対して直交性が維持されている。【０００６】
図１４は、送信機から受信機に送信された信号がフェージングを受けている場合の逆拡散処理の結果の一例を示す図である。図１４のグラフにおいて、横軸は周波数ｆを示しており、縦軸は受信電力ｐを示している。
図１４に示すように、フェージングの結果、各サブキャリアに亘ってチャネルＣＨ１にはＣ’８．１の拡散コード（１，１，１，１，０．２５，０．２５，０．２５，０．２５）が各々乗算され、チャネルＣＨ２にはＣ’８．２の拡散コード（１，１，１，１，−０．２５，−０．２５，−０．２５，−０．２５）が各々乗算され、チャネルＣＨ１、チャネルＣＨ２がコード多重された信号がフェージングを受けた伝搬路を通り、受信側において受信されるとみなすことができる。図１４では、この多重された信号について、チャネルＣＨ１のＣ８．１の拡散コード（１，１，１，１，１，１，１，１）で逆拡散処理を行った場合を示している。
逆拡散処理の結果、チャネルＣＨ１の成分が５となり、チャネルＣＨ２の成分が３となり、結果として５＋３＝８の大きさの復調信号が得られるものの、ＣＨ１に対してＣＨ２の干渉成分が生じており、直交性が崩れている。【０００７】
図１４のように、受信側において、拡散コード系列間の直交性が崩れた状態で逆拡散処理をおこなうと、所望の情報シンボル以外の信号による干渉成分が大きくなり、精度よく情報シンボルを抽出することができなくなり、伝送品質が劣化してしまう問題が生じる。
このような問題を解決する手法として、非特許文献２、非特許文献３に示すような逐次型干渉キャンセラ（ＳＩＣ：Ｓｕｃｃｅｓｓｉｖｅ  Ｉｎｔｅｒｆｅｒｅｎｃｅ  Ｃａｎｃｅｌｌｅｒ）がある。非特許文献２、非特許文献３に開示されているＳＩＣは、コード多重している受信信号の中で、各チャネル信号の受信信号電力、あるいは、受信信号電力対干渉電力及び雑音電力比（ＳＩＮＲ：Ｓｉｇｎａｌ  ｔｏ  Ｉｎｔｅｒｆｅｒｅｎｃｅ  ｐｌｕｓ  Ｎｏｉｓｅ  ｐｏｗｅｒ  Ｒａｔｉｏ）の大きいチャネル信号から順に、逆拡散、復調、復号し、情報シンボルの判定信号を得て、さらにその判定結果を用いて作成したレプリカ信号を受信信号から差し引いていく手順を使用している。【０００８】
このような手順を繰り返すことで、所望のチャネル信号以外の信号を精度よく取り除くことができ、拡散コード系列間の直交性の崩れに起因する特性劣化を抑えることが可能となる。
このように、各チャネルの受信信号電力あるいは、ＳＩＮＲにより決定した信号検出順により高速フーリエ変換（ＦＦＴ：Ｆａｓｔ  Ｆｏｕｒｉｅｒ  Ｔｒａｎｓｆｏｒｍ）の出力信号を順に減算した信号から各チャネルの情報信号を算出することにより、拡散コード系列の直交性の崩れによる特性劣化を抑えることが可能となる。
【非特許文献１】前田、新、安部田、佐和橋著「２次元拡散を用いるＶＳＦ−ＯＦＣＤＭとその特性」、電子情報通信学会技術報告ＲＣＳ２００２−６１、２００２年５月
【非特許文献２】石原、武田、安達著「ＤＳ−ＣＤＭＡ周波数領域ＭＡＩキャンセラ」、電子情報通信学会技術報告ＲＣＳ２００４−３１６、２００５年１月
【非特許文献３】秋田、須山、府川、鈴木著「ＭＣ−ＣＤＭＡの送信電力制御を用いた下り回線における干渉キャンセラ」、電子情報通信学会技術報告ＲＣＳ２００２−３５、２００２年４月
【発明の開示】
【発明が解決しようとする課題】
【０００９】
従来技術のＳＩＣのように各チャネル信号の受信信号電力、ＳＩＮＲなどの伝搬路状況の推定結果に基づいてチャネル信号検出順を決定する場合、受信信号中の各チャネル信号のＳＩＮＲや受信信号電力が同じであると、各チャネル信号を分離する際、レプリカ信号を作成し、各チャネル信号を受信信号から差し引いていく順番を適切に決めることができなくなる。【００１０】
図１５は、従来技術の無線通信システムの構成を示す図である。ここでは、通信システムが基地局８１、端末８２ａ、端末８２ｂを備えている場合を示している。例えば、無線通信システムの下りリンクでは、送信側の基地局８１は、複数の端末８２ａ、８２ｂに向けて、各チャネルの信号電力が同じで、コード多重（ＣＤＭ：Ｃｏｄｅ  Ｄｉｖｉｓｉｏｎ  Ｍｕｌｔｉｐｌｅｘｉｎｇ）された信号を同時に送信する。【００１１】
図１６は、従来技術において基地局８１から端末８２ａ、８２ｂに送信される信号の一例を示す図である。図１６において、横軸は時間を示しており、縦軸は周波数を示しており、横軸及び縦軸に直交する軸は符号を示している。
基地局８１は、複数の端末に同時にコード多重された全チャネル信号のうち、一つの端末へコード多重された複数のチャネル信号を割り当てる場合があり、図１６では、端末８２ａがコード多重されたチャネルのＣＨ１、ＣＨ２、ＣＨ３すべてを占有している。
基地局８１が全チャネル信号を同じ信号電力で送信する場合、全チャネル信号は同じ周波数フェージングを受けることになり、各チャネルの受信信号電力やＳＩＮＲに差が生じなくなる。
このような場合、受信側の端末８２ａ、８２ｂは、ＳＩＣにおいて、チャネル毎の受信信号電力、または、ＳＩＮＲにより非所望信号を除去する順番を決定することができなくなり、各チャネル信号を分離する際に、各チャネル信号を受信信号から差し引いていく順番を適切に決めることができなくなる。【００１２】
本発明は、上記事情に鑑みてなされたものであり、その目的は、複数のコードチャネルが多重された信号を無線送信装置から受信した無線受信装置が、適切な順序で各コードチャネルを検出することができる無線送信装置、無線通信システム及び無線送信方法を提供することにある。
【課題を解決するための手段】
【００１３】
（１）  本発明は、上記課題を解決するためになされたもので、本発明の一態様による無線送信装置は、無線受信装置と通信する無線送信装置であって、多重する複数のコードチャネルのうち少なくとも１つのコードチャネルの受信品質が他のコードチャネルの受信品質と異なるように設定する受信品質設定部と、前記受信品質設定部が受信品質を設定し複数のコードチャネルが多重された信号を前記無線受信装置に送信する送信部とを備える。
本発明では、受信品質設定部が、多重する複数のコードチャネルのうち少なくとも１つのコードチャネルの受信品質が他のコードチャネルの受信品質と異なるように設定し、送信部が、受信品質設定部が受信品質を設定し複数のコードチャネルが多重された信号を無線受信装置に送信するようにしたので、複数のコードチャネルが多重された信号を受信した無線受信装置が、適切な順序で各コードチャネルを検出することができる。【００１４】
（２）  また、本発明の一態様による無線送信装置の前記受信品質設定部は、前記多重する複数のコードチャネルの受信品質の平均が、前記多重する複数のコードチャネル間で同じになるように設定する。【００１５】
（３）  また、本発明の一態様による無線送信装置の前記受信品質設定部は、複数のコードチャネルをグループ化し、多重する複数のグループ化されたコードチャネルのうち少なくとも１つのグループ化されたコードチャネルの受信品質が他のコードチャネルの受信品質と異なるように設定する。【００１６】
（４）  また、本発明の一態様による無線送信装置の前記受信品質設定部は、前記多重する複数のグループ化されたコードチャネルの受信品質の平均が、前記多重する複数のグループ化されたコードチャネル間で同じになるように設定する。【００１７】
（５）  また、本発明の一態様による無線送信装置の前記受信品質設定部は、前記各コードチャネルに設定する受信品質が、最低受信品質よりも大きくなるように設定する。【００１８】
（６）  また、本発明の一態様による無線送信装置の前記受信品質設定部は、コードチャネルの多重数に基づいて、前記最低受信品質を決定する。【００１９】
（７）  また、本発明の一態様による無線送信装置の前記受信品質設定部は、前記受信品質として、変調方式又は符号化率を用いる。【００２０】
（８）  また、本発明の一態様による無線送信装置の前記受信品質設定部は、前記受信品質として、送信電力を用いる。【００２１】
（９）  また、本発明の一態様による無線送信装置の前記受信品質設定部は、前記無線受信装置から通知される受信品質情報に基づいて、コードチャネルの受信品質を設定する。【００２２】
（１０）  また、本発明の一態様による無線通信システムは、無線送信装置と無線受信装置とを備える無線通信システムであって、前記無線送信装置は、多重する複数のコードチャネルのうち少なくとも１つのコードチャネルの受信品質が他のコードチャネルの受信品質と異なるように設定する受信品質設定部と、前記受信品質設定部が受信品質を設定し複数のコードチャネルが多重された信号を前記無線受信装置に送信する送信部とを備え、前記無線受信装置は、前記送信部が送信した複数のコードチャネルが多重された信号を受信する受信部と、前記複数のコードチャネルが多重された信号から受信品質の良いコードチャネルを受信品質の悪いコードチャネルよりも先に検出するコードチャネル検出部とを備える。【００２３】
（１１）  また、本発明の一態様による無線通信方法は、無線受信装置と通信する無線送信装置を用いた無線送信方法であって、前記無線送信装置は、多重する複数のコードチャネルのうち少なくとも１つのコードチャネルの受信品質が他のコードチャネルの受信品質と異なるように設定する受信品質設定過程と、前記受信品質設定過程で受信品質を設定し複数のコードチャネルが多重された信号を前記無線受信装置に送信する送信過程とを実行する。
【発明の効果】
【００２４】
本発明の無線送信装置、無線通信システム及び無線送信方法では、複数のコードチャネルが多重された信号を無線送信装置から受信した無線受信装置が、適切な順序で各コードチャネルを検出することができる。
【図面の簡単な説明】
【００２５】
【図１】本発明の第１の実施形態による無線送受信装置１００ａの構成を示す概略ブロック図である。
【図２】本発明の第１の実施形態で用いるＭＣＳ情報の一例を示す図である。
【図３】本発明の第１の実施形態による受信品質制御部３５（図１）の構成を示す概略ブロック図である。
【図４】本発明の第１の実施形態によるＭＣＳの差の付け方の一例を、従来のものと対比して説明する図である。
【図５】本発明の第１の実施形態による無線送受信装置２００ａの構成を示すブロック図である。
【図６】本発明の第１の実施形態による受信データ検出部７（図５）の構成を示す概略ブロック図である。
【図７】本発明の第１の実施形態による逐次キャンセラ部１８（図６）の構成を示す概略ブロック図である。
【図８】本発明の第１の実施形態によるコードチャネルレプリカ生成部２１−ｍ（ｍ＝１〜（Ｎ−１））（図７）の構成を示す概略ブロック図である。
【図９】第２の実施形態における無線送受信装置１００ｂの構成を示す概略ブロック図である。
【図１０】本発明の第２の実施形態における受信品質制御部５３（図９）の構成を示す概略ブロック図である。
【図１１】本発明の第３の実施形態による無線送受信装置１００ｃの構成を示す概略ブロック図である。
【図１２】本発明の第３の実施形態による無線送受信装置２００ｃの構成を示す概略ブロック図である。
【図１３】送信機から受信機に送信された信号がフェージングを受けていない場合の逆拡散処理の結果の一例を示す図である。
【図１４】送信機から受信機に送信された信号がフェージングを受けている場合の逆拡散処理の結果の一例を示す図である。
【図１５】従来技術の無線通信システムの構成を示す図である。
【図１６】従来技術において基地局８１から端末８２ａ、８２ｂに送信される信号の一例を示す図である。
【符号の説明】
【００２６】
１・・・アンテナ、２・・・無線受信部、３・・・Ａ／Ｄ変換部、４・・・ＧＩ除去部、５・・・ＦＦＴ部、６・・・デマルチプレクス部、７・・・受信データ検出部、８・・・伝搬路推定部、９・・・復調制御部、１０・・・ＭＣＳ決定部、１１・・・報告情報生成部、１２・・・符号化部、１３・・・変調部、１４・・・マルチプレクス部、１５・・・Ｄ／Ａ変換部、１６・・・無線送信部、２９−１〜２９−Ｎ・・・コードチャネル信号生成部、３０・・・マルチプレクス部、３１・・・ＩＦＦＴ部、３２・・・ＧＩ挿入部、３３・・・Ｄ／Ａ変換部、３４・・・無線送信部、３５・・・受信品質制御部、３６・・・通知情報生成部、３７・・・パイロット生成部、３８・・・無線受信部、３９・・・Ａ／Ｄ変換部、４０・・・デマルチプレクス部、４１・・・復調部、４２・・・復号部、４３・・・アンテナ、４４・・・符号化部、４５・・・変調部、４６・・・拡散部、４７−１〜４７−Ｎ・・・コードチャネル信号生成部、４８・・・マルチプレクス部、４９・・・ＩＦＦＴ部、５０・・・ＧＩ挿入部、５１・・・Ｄ／Ａ変換部、５２・・・無線送信部、５３・・・受信品質制御部、５４・・・通知情報生成部、５５・・・パイロット生成部、５６・・・無線受信部、５７・・・Ａ／Ｄ変換部、５８・・・デマルチプレクス部、５９・・・復調部、６０・・・復号部、６１・・・アンテナ、６２・・・符号化部、６３・・・変調部、６４・・・拡散部、６５・・・電力設定部、６６・・・報告情報生成部、６７・・・受信品質制御部、１００ａ〜１００ｃ・・・無線送受信装置、２００ａ、２００ｃ・・・無線送受信装置
【発明を実施するための最良の形態】
【００２７】
以下、図面を参照し、本発明の第１〜第３の実施形態について説明する。始めに、本発明の第１の実施形態について説明する。【００２８】
（第１の実施形態）
本発明の実施形態による無線通信システムは、無線送受信装置１００ａ（図１）と無線送受信装置２００ａ（図５）とを備えている。以下に説明する各実施形態では、無線送受信装置１００ａは、受信品質差を与えてコード多重した信号を、通信先の１台の無線送受信装置に対して送信する。【００２９】
図１は、本発明の第１の実施形態による無線送受信装置１００ａの構成を示す概略ブロック図である。無線送受信装置１００ａは、コードチャネル信号生成部２９−１〜２９−Ｎ、マルチプレクス部３０、ＩＦＦＴ（逆高速フーリエ変換：Ｉｎｖｅｒｓｅ  Ｆａｓｔ  Ｆｏｕｒｉｅｒ  Ｔｒａｎｓｆｏｒｍ）部３１、ＧＩ挿入部３２、Ｄ／Ａ変換部３３、無線送信部３４（送信部とも称する）、受信品質制御部３５（受信品質設定部とも称する）、通知情報生成部３６、パイロット生成部３７、無線受信部３８、Ａ／Ｄ変換部３９、デマルチプレクス部４０、復調部４１、復号部４２、アンテナ４３を備えている。
また、コードチャネル信号生成部２９−１〜２９−Ｎはそれぞれ、符号化部４４、変調部４５、拡散部４６を備えている。【００３０】
送信データは、まず、コードチャネル信号生成部２９−１〜２９−Ｎに入力され、各コードチャネル信号が生成される。コードチャネル信号生成部２９−１〜２９−Ｎでは、符号化部４４で畳み込み符号、ターボ符号等の誤り訂正符号を用いて誤り訂正符号化される。
誤り訂正符号化された送信データは、変調部４５でＱＰＳＫ（Ｑｕａｄｒａｔｕｒｅ  Ｐｈａｓｅ  Ｓｈｉｆｔ  Ｋｅｙｉｎｇ：４値位相偏移変調）、１６ＱＡＭ（１６  Ｑｕａｄｒａｔｕｒｅ  Ａｍｐｌｉｔｕｄｅ  Ｍｏｄｕｌａｔｉｏｎ：１６値直交振幅変調）等の変調シンボルにマッピングされる。
符号化部４４における符号化率、変調部４５における変調方式は受信品質制御部３５から出力される受信品質制御情報に基づいて決まる。【００３１】
図２は、本発明の第１の実施形態で用いるＭＣＳ情報の一例を示す図である。ＭＣＳは、変調方式と符号化率の組み合わせを示したものであり、ＭＣＳの数値が大きくなるにつれて伝送レートも大きくなる。ここでは、例えば、ＭＣＳが１の場合には、変調方式がＱＰＳＫであり１シンボルあたりの情報量は２ビットであり、符号化率は１／３である。ＭＣＳが２のときは、変調方式がＱＰＳＫであり１シンボルあたりの情報量は２ビットであり、符号化率が１／２である。ＭＣＳが３のときは、変調方式が１６ＱＡＭであり１シンボルあたりの情報量は４ビットであり、符号化率は１／３である。ＭＣＳが４のときは変調方式がＱＰＳＫであり１シンボルあたりの情報量は２ビットであり、符号化率は３／４である。
ＭＣＳが５のときは変調方式が１６ＱＡＭであり１シンボルあたりの情報量は４ビットであり、符号化率は１／２である。ＭＣＳが６のときは変調方式が１６ＱＡＭであり１シンボルあたりの情報量は４ビットであり、符号化率は３／４である。ＭＣＳが７のときは変調方式が６４ＱＡＭであり１シンボルあたりの情報量は６ビットであり、符号化率は３／４である。つまり、ＭＣＳが１から７に増加するにつれて、変調方式による１シンボルあたりの情報量と、符号化率との積は増加しており、伝送レートは増加するものの、受信電力が同じであった場合、受信品質は減少する。【００３２】
図１に戻り、変調部４５の出力は拡散部４６に出力され、各コードチャネルに対応する拡散コードを用いて拡散される。コードチャネル信号生成部２９−１〜２９−Ｎの出力は、マルチプレクス部３０に入力され、通知情報生成部３６の出力である受信品質制御情報を受信装置に通知するための受信品質通知信号と、パイロット信号生成部３７の出力であるパイロット信号を多重する。
マルチプレクス部３０の出力は、ＩＦＦＴ部３１で周波数時間変換され、ＧＩ挿入部３２でガードインターバルが挿入され、Ｄ／Ａ変換部３３でＤ／Ａ変換され、無線送信部３４で無線周波数に変換され、アンテナ４３から無線送受信装置２００ａ（図５）に送信される。【００３３】
受信品質制御情報は、無線送受信装置２００ａから送信された信号に基づいて生成される。まず、アンテナ４３で無線送受信装置２００ａから受信された信号は、無線受信部３８においてベースバンド信号に変換され、Ａ／Ｄ変換部３９でＡ／Ｄ変換される。Ａ／Ｄ変換部３９の出力は、デマルチプレクス部４０において、データシンボル系列と報告情報用シンボル系列とに分離される。
デマルチプレクス部４０から出力されたデータシンボル系列は、復調部４１で復調処理を、復号部４２で誤り訂正復号処理を施され、受信データが取り出される。
一方、デマルチプレクス部４０から出力された報告情報用シンボル系列は、受信品質制御部３５に入力される。受信品質制御部３５は、報告情報用シンボル系列が示す報告情報に基づき、例えば変調方式や符号化率のような情報である受信品質制御情報を符号化部４４と変調部４５に出力する。さらに受信品質制御部３５は、通知情報生成部３６に受信品質制御情報を出力し、通知情報生成部３６では、受信品質制御情報を受信装置に通知するための受信品質通知信号を生成する。【００３４】
図３は、本発明の第１の実施形態による受信品質制御部３５（図１）の構成を示す概略ブロック図である。受信品質制御部３５は、コードチャネルグルーピング部６２、最低品質設定部６３、受信品質設定部６４を備えている。
コードチャネルグルーピング部６２は、コードチャネルをグループ分けする。例えば、コードチャネル＃１〜＃６をグループ分けする場合、コードチャネル＃１と＃２、コードチャネル＃３と＃４と＃５、コードチャネル＃６のようにグループ分けをする。
グループに含まれるコードチャネル数は、複数のグループに属すコードチャネルがなければ任意でよく、１でも良い。このようにコードチャネルをグループ分けしたコードチャネルグループ情報は、受信品質設定部６４に出力される。【００３５】
最低品質設定部６３は、報告情報用シンボル系列とコードチャネル数により、無線送受信装置１００ａ側で与えることができる最低品質を設定する。報告情報用シンボル系列から、報告情報用シンボル系列が示す報告情報に基づきＭＣＳを求める。このＭＣＳは、従来の各コードチャネルに、このＭＣＳを用いてコード多重を行うためのものである。最低品質は、コード多重数が１のときに通信できる最高のデータレートに設定する。例えば、コードチャネル数がＮであるときには、報告情報から適応変調の閾値で１０ｌｏｇ１０（Ｎ−１）を補正してから求めたＭＣＳを最高のデータレートとし、最低品質として設定する。設定されたＭＣＳは、最低品質情報として受信品質設定部６４に出力される。【００３６】
受信品質設定部６４は、報告情報から求めたＭＣＳを平均データレートとし、コードチャネルグループ情報と最低品質情報に基づき、各コードチャネルにおけるＭＣＳを設定する。各コードチャネルにおけるＭＣＳは、入力された最低品質となるＭＣＳを超えないように設定する。【００３７】
図４（ａ）及び図４（ｂ）は、本発明の第１の実施形態によるＭＣＳの差の付け方の一例を、従来のものと対比して説明する図である。従来は、図４（ａ）に示すように、各コードチャネル＃１〜＃６で報告された同じＭＣＳを用いてコード多重をしていた。
本実施形態では、図４（ｂ）に示すように、報告されたＭＣＳを基準にして、コードチャネル＃１〜＃６毎にＭＣＳを変えることで受信品質に差をつける。
ＭＣＳの設定方法は、入力されたコードチャネルグループ情報で、コードチャネルグループ内での平均ＭＣＳ値を、無線送受信装置２００ａより報告されたＭＣＳと同レベルに設定する。【００３８】
図４（ｂ）を例に説明する。図４（ｂ）では６コード多重で、コードチャネルグループは、コードチャネル＃１と＃２、＃３と＃４、＃５と＃６がそれぞれグルーピングされている。各コードチャネルで異なるＭＣＳを用いる場合は、コードチャネルグループ毎に異なるＭＣＳの補正値を設定することができる。
図４（ｂ）の例では、コードチャネル＃１と＃２では補正値は１、コードチャネル＃３と＃４では補正値は２、コードチャネル＃５と＃６では補正値は３に設定されている。このとき各コードチャネルグループにおけるＭＣＳは、（ＭＣＳ＋補正値）と（ＭＣＳ−補正値）となる。ただし、１つのコードチャネルをグルーピングしている場合は、報告されたＭＣＳをそのまま用いることができる。【００３９】
また、２より多いコードチャネルがグルーピングされている場合は、グループ内の補正値は１つでなくても良い。例えば３つのコードチャネルをグルーピングしている場合、３つのコードチャネルでそれぞれＭＣＳと（ＭＣＳ−１）と（ＭＣＳ＋１）としたり、（ＭＣＳ＋３）と（ＭＣＳ−２）と（ＭＣＳ−１）としたりすることができる。ただし、（ＭＣＳ＋補正値）は最低品質となるＭＣＳを超えないように設定する。【００４０】
図５は、本発明の第１の実施形態による無線送受信装置２００ａの構成を示すブロック図である。無線送受信装置２００ａは、アンテナ１、無線受信部２（受信部とも称する）、Ａ／Ｄ（アナログ／デジタル：Ａｎａｌｏｇ／Ｄｉｇｉｔａｌ）変換部３、ＧＩ（ガードインターバル：Ｇｕａｒｄ  Ｉｎｔｅｒｖａｌ）除去部４、ＦＦＴ（高速フーリエ変換：Ｆａｓｔ  Ｆｏｕｒｉｅｒ  Ｔｒａｎｓｆｏｒｍ）部５、デマルチプレクス部６、受信データ検出部７（コードチャネル検出部とも称する）、伝搬路推定部８、復調制御部９、ＭＣＳ（Ｍｏｄｕｌａｔｉｏｎ  ａｎｄ  Ｃｏｄｉｎｇ  Ｓｃｈｅｍｅ：変調・符号化形式）決定部１０、報告情報生成部１１、符号化部１２、変調部１３、マルチプレクス部１４、Ｄ／Ａ（デジタル／アナログ：Ｄｉｇｉｔａｌ／Ａｎａｌｏｇ）変換部１５、無線送信部１６を備えている。【００４１】
アンテナ１で受信された信号は、無線受信部２でベースバンド信号に変換され、Ａ／Ｄ変換部３でＡ／Ｄ変換され、ＧＩ除去部４でガードインターバルが除去され、ＦＦＴ部５で時間周波数変換される。
ＦＦＴ部５の出力は、デマルチプレクス部６に入力され、送信側で多重されたパイロット信号と受信品質通知信号とを分離する。パイロット信号は伝搬路推定部８に入力され、受信品質通知信号は復調制御部９に入力される。
伝搬路推定部８は、パイロット信号に基づいて伝搬路推定を行い、サブキャリアごとの伝搬路推定値を求める。また、復調制御部９は、受信品質通知信号に基づいて、受信品質情報を生成する。伝搬路推定値は受信データ検出部７、ＭＣＳ決定部１０に入力され、復調制御情報は受信データ検出部７に入力される。【００４２】
ＭＣＳ決定部１０では、入力された伝搬路推定値に基づいて受信品質を決定し、ＭＣＳを示す情報を報告情報生成部１１に出力する。報告情報生成部１１では、ＭＣＳを示す情報を通信先の無線送受信装置に報告するための報告情報用シンボル系列を生成し、マルチプレクス部１４に出力する。マルチプレクス部１４は、符号化部１２、変調部１３において誤り訂正符号化・変調された送信データに報告情報用シンボル系列を多重する。マルチプレクス部１４から出力された信号は、Ｄ／Ａ変換部１５でＤ／Ａ変換され、無線送信部１６で無線周波数に変換され、アンテナ１から無線送受信装置１００ａに送信される。
受信データ検出部７では、無線送受信装置１００ａから送信されたデータを検出し、無線送受信装置２００ａの上位レイヤに出力する。【００４３】
図６は、本発明の第１の実施形態による受信データ検出部７（図５）の構成を示す概略ブロック図である。受信データ検出部７は、信号検出順決定部１７、逐次キャンセラ部１８を備えている。
信号検出順決定部１７は、無線送受信装置１００ａ側で設定された受信品質に基づいて、信号検出順を決定する。【００４４】
図７は、本発明の第１の実施形態による逐次キャンセラ部１８（図６）の構成を示す概略ブロック図である。逐次キャンセラ部１８は、伝搬路補償部１９−１、１９−２〜１９−Ｎ（Ｎは、２又は２よりも大きい自然数）、コードチャネル信号検出部２０−１、２０−２〜２０−Ｎ、コードチャネルレプリカ生成部２１−１、２１−２〜２１−（Ｎ−１）、ＭＣＩレプリカ生成部２２−１、２２−２〜２２−（Ｎ−１）、加算部２３−２〜２３−Ｎを備えている。なお、コードチャネルレプリカ生成部２１−（Ｎ−１）は図示していない。
また、コードチャネル信号検出部２０−１〜２０−Ｎは、逆拡散部２４−１、２４−２〜２４−Ｎ、復調部２５−１、２５−２〜２５−Ｎ、復号部２６−１、２６−２〜２６−Ｎを備えている。【００４５】
逐次キャンセラ部１８は、信号除去順通知信号により設定された順序に従い、コードチャネル信号ごとにデータ検出および干渉除去を行う逐次型干渉キャンセラ（ＳＩＣ：Ｓｕｃｃｅｓｓｉｖｅ  Ｉｎｔｅｒｆｅｒｅｎｃｅ  Ｃａｎｃｅｌｌａｔｉｏｎ）を用いている。以下、信号検出順は、Ｃ１〜ＣＮの順に設定されている場合について説明する。【００４６】
まず、デマルチプレクス部６（図５）から入力された信号を伝搬路補償部１９−１で、伝搬路推定部８（図５）で推定された伝搬路推定値に基づいて、例えば、公知のＺＦ（Ｚｅｒｏ−Ｆｏｒｃｉｎｇ：ゼロフォーシング）基準、ＭＭＳＥ（Ｍｉｎｉｍｕｍ  Ｍｅａｎ  Ｓｑｕａｒｅ  Ｅｒｒｏｒ：最小自乗誤差）基準等を用いた重み係数を用いて伝搬路補償を行う。
そして、コードチャネル信号検出部２０−１でＣ１に対するデータを検出する。伝搬路補償後の信号は、逆拡散部２４−１で拡散コードＣ１を用いて逆拡散が行われ、復調部２５−１で、信号検出順通知情報に含まれる変調方式に従って復調処理が行われ、符号化ビットＬＬＲ（Ｌｏｇ  Ｌｉｋｅｌｉｈｏｏｄ  Ｒａｔｉｏ：対数尤度比）として出力される。【００４７】
復号部２６−１では、信号検出順通知情報に含まれる符号化率に従って誤り訂正復号処理を行い、Ｃ１に対する情報ビットを逐次キャンセラ部１８の外部に出力するとともに、符号化ビットＬＬＲをコードチャネルレプリカ生成部２１−１に出力する。
復号部２６−１が出力した符号化ビットＬＬＲは、コードチャネルレプリカ生成部２１−１に入力され、無線送受信装置１００ａ側で生成されるコードチャネル信号のレプリカを生成する。コードチャネルレプリカ生成部２１−１の出力には、ＭＣＩ（Ｍｕｌｔｉ−Ｃｏｄｅ  Ｉｎｔｅｒｆｅｒｅｎｃｅ：コード間干渉）レプリカ生成部２２−１で、伝搬路推定部８（図５）から入力された伝搬路推定値が乗算され、Ｃ１に対するＭＣＩレプリカが生成される。【００４８】
Ｃ１に対するＭＣＩレプリカは、加算部２３−２でデマルチプレクス部６（図５）から入力された信号から減算することで干渉除去が行われる。このＣ１に対するＭＣＩレプリカを減算した信号を用いてＣ２に対するデータを検出する。
Ｃ２の場合もＣ１の場合と同様の処理を行う。ただし、逆拡散部２４−２で用いる拡散コード、復調部２５−２で用いる変調方式、復号部２６−２で用いる符号化率がそれぞれＣ２に対応したものになっている。
コードチャネル信号検出部２０−２はＣ２に対する情報ビットを逐次キャンセラ部１８の外部に出力するとともに、符号化ビットＬＬＲをコードチャネルレプリカ生成部２１−２に出力する。【００４９】
Ｃ１の場合と同様に符号化ビットＬＬＲからコードチャネルレプリカ生成部２１−２でＣ２に対するコードチャネルレプリカを生成し、ＭＣＩレプリカ生成部２２−２でＣ２に対するＭＣＩレプリカを生成する。そして、加算部２３−３（図示省略）において、Ｃ１に対するＭＣＩレプリカが減算された信号から、Ｃ２に対するＭＣＩレプリカを減算する。
Ｃ２に対するＭＣＩレプリカが減算された信号を用いてＣ３に対するデータを検出する。このようなデータ検出、ＭＣＩレプリカ生成、ＭＣＩ除去という処理を、全てのコードチャネルＣ１〜ＣＮに対する情報ビットが検出されるまで行う。【００５０】
次に、復調部２５−１（図７）の処理について説明する。なお、復調部２５−２〜２５−Ｎの処理は、復調部２５−１の処理と同様であるので、それらの説明を省略する。ここでは、復調部２５−１が、ＱＰＳＫ変調を用いる場合について説明する。
無線送受信装置１００ａ側で送信されたＱＰＳＫシンボルをＸとし、無線送受信装置２００ａ側における逆拡散後のシンボルをＸｃとする。Ｘを構成しているビットをｂ０、ｂ１（ｂ０、ｂ１＝±１）とするとＸは、以下の式（１）で表すことができる。【００５１】
【数１】
2009038018.tif 000003
【００５２】
ただしｊは、虚数単位を表す。Ｘの受信側における推定値Ｘｃからビットｂ０のＬＬＲλ（ｂ０）を、以下の式（２）のようにして求める。【００５３】
【数２】
2009038018.tif 000004
【００５４】
ただし、Ｒｅ（）は複素数の実部を表す。μは伝搬路補償後の等価振幅であり、例えば、第ｋサブキャリアにおける伝搬路推定値をＨ（ｋ）、乗算したＭＭＳＥ基準の伝搬路補償重みＷ（ｋ）とすると、μはＷ（ｋ）Ｈ（ｋ）となる。なお、λ（ｂ１）は、式（２）のλ（ｂ０）の実部と虚部を置き換えることにより求めることができる。【００５５】
図８は、本発明の第１の実施形態によるコードチャネルレプリカ生成部２１−ｍ（ｍ＝１〜（Ｎ−１））（図７）の構成を示す概略ブロック図である。コードチャネルレプリカ生成部２１−ｍは、シンボルレプリカ生成部２７、拡散部２８−ｍを備えている。
コードチャネルレプリカ生成部２１−ｍは、シンボルレプリカ生成部２７で、入力された符号化ビットＬＬＲから、通知された変調方式に基づいて、変調シンボルのレプリカを生成する。変調シンボルのレプリカは、拡散部２８−ｍでＣｍに対応する拡散コードで拡散され、出力される。【００５６】
次に、シンボルレプリカ生成部２７（図８）の処理を説明する。ここでは、ＱＰＳＫ変調を用いる場合について説明する。ＱＰＳＫ変調シンボルを構成するビットのＬＬＲをλ（ｂ０）、λ（ｂ１）とすると、ＱＰＳＫの変調シンボルのレプリカは、以下の式（３）により表すことができる。【００５７】
【数３】
2009038018.tif 000005
【００５８】
第１の実施形態では、受信品質制御部３５が、多重する複数のコードチャネルのうち少なくとも１つのコードチャネルのＭＣＳ（受信品質とも称する）が他のコードチャネルのＭＣＳと異なるように設定し、無線送信部３４が、受信品質制御部３５がＭＣＳを設定し複数のコードチャネルが多重された信号を無線送受信装置２００ａに送信するようにしたので、複数のコードチャネルが多重された信号を無線送受信装置１００ａから受信した無線送受信装置２００ａが、適切な順序で各コードチャネルを検出することができる。【００５９】
（第２の実施形態）
第１の実施形態では、コードチャネル毎にＭＣＳを変えることで、受信品質に差が生じるようにした。第２の実施形態では、コードチャネル毎に送信電力を変えることにより受信品質に差が生じるようにする。なお、第２の実施形態による無線送受信装置は、第１の実施形態による無線送受信装置２００ａ（図５）と同じで良いため、その説明を省略する。【００６０】
図９は、本発明の第２の実施形態における無線送受信装置１００ｂの構成を示す概略ブロック図である。無線送受信装置１００ｂは、コードチャネル信号生成部４７−１〜４７−Ｎ、マルチプレクス部４８、ＩＦＦＴ部４９、ＧＩ挿入部５０、Ｄ／Ａ変換部５１、無線送信部５２（送信部とも称する）、受信品質制御部５３（受信品質設定部とも称する）、通知情報生成部５４、パイロット生成部５５、無線受信部５６、Ａ／Ｄ変換部５７、デマルチプレクス部５８、復調部５９、復号部６０、アンテナ６１を備えている。
また、コードチャネル信号生成部４７−１〜４７−Ｎはそれぞれ、符号化部６２、変調部６３、拡散部６４、電力設定部６５を備えている。【００６１】
無線送受信装置１００ｂは、まず、送信データをコードチャネル信号生成部４７−１〜４７−Ｎに入力する。コードチャネル信号生成部４７−１〜４７−Ｎでは、送信データに対して、符号化部６２で誤り訂正符号を用いて誤り訂正符号化を行う。符号化されたデータは変調部６３において、変調シンボルにマッピングされる。変調シンボルは、拡散部６４で各コードチャネルに対応する拡散コードを用いて拡散される。拡散後の信号は電力設定部６５で、受信品質制御部５３から出力される受信品質制御情報に基づいて、コードチャネル毎に受信品質に差が生じるように電力が設定される。【００６２】
コードチャネル信号生成部４７−１〜４７−Ｎの出力は、マルチプレクス部４８に入力され、通知情報生成部５４の出力である受信品質制御情報を通信先の無線送受信装置に通知するための受信品質通知信号と、パイロット信号生成部５５の出力であるパイロット信号を多重する。マルチプレクス部４８の出力は、ＩＦＦＴ部４９で周波数時間変換され、ＧＩ挿入部５０でガードインターバルが挿入され、Ｄ／Ａ変換部５１でＤ／Ａ変換され、無線送信部５２で無線周波数に変換され、アンテナ６１から通信先の無線送受信装置に送信される。【００６３】
第１の実施形態では、報告情報用シンボル系列に含まれるＭＣＳに基づいて各コードチャネルのＭＣＳを変えていたが、第２の実施形態では、各コードチャネルの送信電力を変える。送信電力は無線送受信装置１００ｂでわかるため、通信先の無線送受信装置からの報告情報を用いなくても、受信品質差を決定することが可能である。【００６４】
図１０は、本発明の第２の実施形態における受信品質制御部５３（図９）の構成を示す概略ブロック図である。受信品質制御部５３は、コードチャネルグルーピング部６２、受信品質設定部６５を備えている。
コードチャネルグルーピング部６２は、第１の実施形態と同様であるので説明は省略する。受信品質設定部６５は、各コードチャネルに割り当てる送信電力を設定する。受信品質設定部６５は、まずコード多重数に基づいて、コード多重をしないときに通信できる最低送信電力を求める。最低送信電力は、例えば、コード多重数をＮとし、Ｐ−１０ｌｏｇ１０（Ｎ−１）とする。ただし、Ｐは品質差を付けない場合の送信電力であり、単位は、ｄＢである。受信品質設定部６５は、求めた最低送信電力より小さい送信電力は割り当てない。
各コードチャネルにおける送信電力の割り当ては、入力されたコードチャネルグループの各グループ内で送信電力を一定に保つようにすれば良い。【００６５】
第２の実施形態では、受信品質制御部５３が、多重する複数のコードチャネルのうち少なくとも１つのコードチャネルの送信電力（受信品質とも称する）が他のコードチャネルの送信電力と異なるように設定し、無線送信部３４が、受信品質制御部３５が送信電力を設定し複数のコードチャネルが多重された信号を通信先の無線送受信装置に送信するようにしたので、複数のコードチャネルが多重された信号を無線送受信装置１００ｂから受信した通信先の無線送受信装置が、適切な順序で各コードチャネルを検出することができる。【００６６】
（第３の実施形態）
第１及び第２の実施形態では、通信先の無線送受信装置から報告された情報に基づき、無線送信装置１００ａ等で品質差を算出していた。第３の実施形態では、通信元の無線送受信装置が品質差を算出し、通信先の無線送受信装置に報告し、通信先の無線送受信装置は通信元の無線送受信装置から報告された情報に従って、コードチャネル毎に品質差を付ける。【００６７】
図１１は、本発明の第３の実施形態による無線送受信装置１００ｃの構成を示す概略ブロック図である。図１１は、ＭＣＳで差を付ける場合を示している。図１を用いて説明した第１の実施形態における無線送受信装置１００ａとの違いは、受信品質制御部６７（受信品質設定部とも称する）であるため、受信品質制御部６７のみを説明する。受信品質制御部６７は、無線送受信装置２００ｃ（図１２）から送信される報告情報用シンボル系列が示す報告情報に基づき、各コードチャネルにおけるＭＣＳ情報である受信品質制御情報を生成する。【００６８】
図１２は、本発明の第３の実施形態による無線送受信装置２００ｃの構成を示す概略ブロック図である。図５を用いて説明した第１の実施形態における無線送受信装置２００ａとの違いは、報告情報生成部６６であるため、ここでは報告情報生成部６６の説明のみを行う。
報告情報生成部６６には、ＭＣＳ決定部１０で決定されたＭＣＳが入力される。報告情報生成部６６は、各コードチャネルにおけるＭＣＳを設定し、通信先の無線送受信装置に報告するための報告情報用シンボル系列を生成する。無線送受信装置２００ｃで各コードチャネルにおけるＭＣＳを設定する場合、受信データ部７で信号検出順を決定する必要はなく、無線送受信装置２００ｃで設定したものを用いれば良い。【００６９】
第３の実施形態では、受信品質制御部６７が、多重する複数のコードチャネルのうち少なくとも１つのコードチャネルのＭＣＳが他のコードチャネルのＭＣＳと異なるように設定し、無線送信部３４が、受信品質制御部３５がＭＣＳを設定し複数のコードチャネルが多重された信号を無線送受信装置２００ｃに送信するようにしたので、複数のコードチャネルが多重された信号を無線送受信装置１００ｃから受信した無線送受信装置２００ｃが、適切な順序で各コードチャネルを検出することができる。
また、受信品質制御部６７は、無線送受信装置２００ｃから通知される受信品質情報に基づいて、コードチャネルのＭＣＳを設定することができるので、無線送受信装置２００ｃの受信状況を考慮して、より適切な順序で各コードチャネルを検出することができる。【００７０】
なお、以上説明した実施形態において、無線送受信装置１００ａ、１００ｂ、１００ｃの各部や、無線送受信装置２００ａ、２００ｃの各部の機能を実現するためのプログラムをコンピュータ読み取り可能な記録媒体に記録して、この記録媒体に記録されたプログラムをコンピュータシステムに読み込ませ、実行することにより無線送受信装置１００ａ、１００ｂ、１００ｃや、無線送受信装置２００ａ、２００ｃの制御を行っても良い。なお、ここでいう「コンピュータシステム」とは、ＯＳや周辺機器等のハードウェアを含むものとする。【００７１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。【００７２】
以上、この発明の実施形態について図面を参照して詳述してきたが、具体的な構成はこの実施形態に限られるものではなく、この発明の要旨を逸脱しない範囲の設計等も特許請求の範囲に含まれる。
【産業上の利用可能性】
【００７３】
本発明は、複数のコードチャネルが多重された信号を無線送信装置から受信した無線受信装置が、適切な順序で各コードチャネルを検出することができる無線送信装置、無線通信システム及び無線送信方法などに適用できる。
【図１】
2009038018.tif 000006
【図２】
2009038018.tif 000007
【図３】
2009038018.tif 000008
【図４】
2009038018.tif 000009
【図５】
2009038018.tif 000010
【図６】
2009038018.tif 000011
【図７】
2009038018.tif 000012
【図８】
2009038018.tif 000013
【図９】
2009038018.tif 000014
【図１０】
2009038018.tif 000015
【図１１】
2009038018.tif 000016
【図１２】
2009038018.tif 000017
【図１３】
2009038018.tif 000018
【図１４】
2009038018.tif 000019
【図１５】
2009038018.tif 000020
【図１６】
2009038018.tif 000021
【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
無線受信装置より報告された報告情報に基づいて求めたＭＣＳを用いて、多重する複数の信号のうち少なくとも１つの信号のＭＣＳが他の信号のＭＣＳと異なるように設定する受信品質設定部と、
前記受信品質設定部がＭＣＳを設定した複数の信号が多重された信号を前記無線受信装置に送信する送信部と、
を備えることを特徴とする無線送信装置。
【請求項２】
前記報告情報に基づいて求めたＭＣＳの数は前記多重する信号の数よりも少ないことを特徴とする請求項１に記載の無線送信装置。
【請求項３】
前記受信品質設定部は、
前記多重する複数の信号のうち、少なくとも１つは前記報告情報に基づいて求めたＭＣＳを用いることを特徴とする請求項１に記載の無線送信装置。
【請求項４】
前記受信品質設定部は、
前記多重する複数の信号のうち、少なくとも１つは前記報告情報に基づいて求めたＭＣＳを用い、他の信号は前記報告情報に基づいて求めたＭＣＳより低い伝送レートのＭＣＳを用いることを特徴とする請求項３に記載の無線送信装置。
【請求項５】
前記受信品質設定部は、
前記多重する複数の信号のうち、少なくとも１つは前記報告情報に基づいて求めたＭＣＳを用い、他の信号は前記報告情報に基づいて求めたＭＣＳより高い伝送レートのＭＣＳを用いることを特徴とする請求項３に記載の無線送信装置。
【請求項６】
前記受信品質設定部は、
前記報告情報に基づいて求めたＭＣＳを平均とし、前記多重する信号のＭＣＳを設定することを特徴とする請求項１に記載の無線送信装置。
【請求項７】
無線受信装置と通信する無線送信装置であって、
多重する複数の信号のうち少なくとも１つの信号の受信品質が他の信号の受信品質と異なるように設定する受信品質設定部と、
前記受信品質設定部が受信品質を設定した複数の信号が多重された信号を前記無線受信装置に送信する送信部と、を備え、
前記受信品質設定部は、前記多重する複数の信号の受信品質の平均が、前記多重する複数の信号間で同じになるように設定することを特徴とする無線送信装置。
【請求項８】
無線受信装置と通信する無線送信装置であって、
多重する複数の信号のうち少なくとも１つの信号の受信品質が他の信号の受信品質と異なるように設定する受信品質設定部と、
前記受信品質設定部が受信品質を設定した複数の信号が多重された信号を前記無線受信装置に送信する送信部と、を備え、
前記受信品質設定部は、複数の信号をグループ化し、多重する複数のグループ化された信号のうち少なくとも１つのグループ化された信号の受信品質が他のグループの信号の受信品質と異なり、かつ、
前記多重する複数のグループ化された信号の受信品質の平均が、前記多重する複数のグループ化された信号間で同じになるように設定することを特徴とする無線送信装置。
【請求項９】
無線受信装置と通信する無線送信装置であって、
多重する複数の信号のうち少なくとも１つの信号の受信品質が他の信号の受信品質と異なるように設定する受信品質設定部と、
前記受信品質設定部が受信品質を設定した複数の信号が多重された信号を前記無線受信装置に送信する送信部と、を備え、
前記受信品質設定部は、信号の多重数に基づいて、最低受信品質を決定することを特徴とする無線送信装置。
【請求項１０】
無線送信装置と無線受信装置とを備える無線通信システムであって、
前記無線受信装置より報告された報告情報に基づいて求めたＭＣＳを用いて、多重する複数の信号のうち少なくとも１つの信号のＭＣＳが他の信号のＭＣＳと異なるように設定する受信品質設定部と、
前記受信品質設定部がＭＣＳを設定した複数の信号が多重された信号を前記無線受信装置に送信する送信部と、を備え、
前記無線受信装置は、
前記送信部が送信した複数の信号が多重された信号を受信する受信部と、
前記複数の信号が多重された信号からＭＣＳの小さい信号をＭＣＳの大きい信号よりも先に検出する受信データ検出部と、
前記報告情報を前記無線送信装置に送信する送信部と、
を備えることを特徴とする無線通信システム。
【請求項１１】
無線受信装置より報告された報告情報に基づいて求めたＭＣＳを用いて、多重する複数の信号のうち少なくとも１つの信号のＭＣＳが他の信号のＭＣＳと異なるように設定する受信品質設定過程と、
前記受信品質設定過程がＭＣＳを設定した複数の信号が多重された信号を前記無線受信装置に送信する送信過程と、
を有することを特徴とする無線送信方法。
【国際調査報告】
2009038018.tif 000022
2009038018.tif 000023
2009038018.tif 000024
2009038018.tif 000025